(57)【特許請求の範囲】
【請求項１】
平板部を有するヨークと、このヨークの平板部に取り付けられた多数の永久磁石と、絶縁シートの片面又は両面に前記永久磁石に対応させてボイスコイルを設けた振動板と、この振動板の周辺部を、振動板と前記永久磁石の磁極面との間に所定のギャップができるように保持する保持枠とを備えた平面スピーカにおいて、
前記振動板の、相対的に他の所よりも大きい振幅で振動する箇所に、その箇所の永久磁石の磁極面レベルに達しない振幅での振動は許容するが、磁極面レベルに達する振幅での振動は抑制する振幅抑制部材を設けたことを特徴とする平面スピーカ。
【請求項２】
請求項１記載の平面スピーカであって、振幅抑制部材が、振動板の三次振動モード以下の低次振動モードの腹の中心又はその近傍に相当する箇所の少なくとも１箇所に設けられていることを特徴とする平面スピーカ。
【請求項３】
請求項１又は２記載の平面スピーカであって、振幅抑制部材は、静止状態にある振動板を永久磁石の磁極面との間に所定のギャップを保って支持するように構成されていることを特徴とする平面スピーカ。
【請求項４】
請求項１ないし３のいずれかに記載の平面スピーカであって、振幅抑制部材が、同心円状の波形を有していて周辺部をヨークに固定されたダンパーと、このダンパーの中央部に一端側を固定され、他端側を振動板に固定された支持部材とで構成されていることを特徴とする平面スピーカ。
【請求項５】
請求項４記載の平面スピーカであって、支持部材がラッパ状部材又は円筒状部材からなることを特徴とする平面スピーカ。
【請求項６】
請求項１ないし３のいずれかに記載の平面スピーカであって、振幅抑制部材が、ヨークに固定された固体ブロックと、この固体ブロック上に振動板を支持するように取りつけられた弾性体とで構成されていることを特徴とする平面スピーカ。
【請求項７】
請求項６記載の平面スピーカであって、固体ブロックは、ヨークに取りつけられた多数の永久磁石と同じものであることを特徴とする平面スピーカ。
【請求項８】
請求項１ないし３のいずれかに記載の平面スピーカであって、振幅抑制部材が電磁制動機構で構成されていることを特徴とする平面スピーカ。
【請求項９】
請求項８記載の平面スピーカであって、電磁制動機構は、振動板に支持部材を介して中心軸線が振動方向に向くように取りつけられた可動コイルと、この可動コイルに放射方向の磁束を付与するようにヨークに取りつけられた磁石とを備えていることを特徴とする平面スピーカ。
【請求項１０】
請求項９記載の平面スピーカであって、１巻きあるいは多数巻きの可動コイルは両端子間を短絡状態とすることを特徴とする平面スピーカ。
【請求項１１】
請求項９記載の平面スピーカであって、支持部材が軽量金属で一体化されていることを特徴とする平面スピーカ。
【請求項１２】
請求項９記載の平面スピーカであって、可動コイルは一部に音声電流を流して駆動力を持たせることを特徴とする平面スピーカ。
【請求項１３】
請求項９記載の平面スピーカであって、支持部材がダンパーを介してヨークに支持されていることを特徴とする平面スピーカ。
【請求項１４】
請求項１ないし３のいずれかに記載の平面スピーカであって、振幅抑制部材が、ヨークに取りつけられた第一の磁石と、この磁石と同じ極性が対向するように振動板に取りつけられた第二の磁石とで構成されていることを特徴とする平面スピーカ。
【発明の詳細な説明】
【０００１】
【発明の属する技術分野】
本発明は、平らな振動板を有する平面スピーカに関するものである。
【０００２】
【従来の技術】
図９に従来の平面スピーカの一例を示す。図において、１０は鉄板（強磁性金属板）で平板部１０ａと周壁部１０ｂを一体に形成したヨーク、１２はヨーク平板部１０ａの片面に磁軸を垂直に立てて取り付けられた多数の永久磁石、１４は振動板である。永久磁石１２はヨーク平板部１０ａに所定の間隔をおいて隣り同士で磁極の極性が反対になるように取り付けられている。振動板１４は、絶縁シート１６の片面（両面でも可）に、各永久磁石１２に対応させてボイスコイル１８を設けたものである。
【０００３】
各ボイスコイル１８は永久磁石１２の磁極と対向する領域を囲むように形成されている。全てのボイスコイル１８は隣り合うボイスコイルの隣接辺に同じ向きの電流が流れるように巻かれている。各ボイスコイル１８は、音響変換効率や設計の自由度を出来るだけ向上させるため、平面渦巻き状に形成されていることが好ましい。振動板１４はその周辺部を、ばね弾性のある保持枠２０を介して、ヨーク周壁部１０ｂの縁に取りつけられており、これにより振動板１４は永久磁石１２の磁極面から所定のギャップを保つように保持されている。
【０００４】
ヨーク平板部１０ａには振動板１４の振動に伴って生じる空気圧の変動を緩和するための空気穴２２が形成されている。また永久磁石１２の上面には、振動板１４が振動によって永久磁石１２の磁極面に衝突するのを防止する緩衝シート２４が接合されている。以上のように構成された平面スピーカは、例えば特許文献１に開示されている。
【０００５】
【特許文献１】
再公表特許公報ＷＯ００−０７８０９５号
【０００６】
【発明が解決しようとする課題】
平面スピーカの振動板は、その周辺部を保持枠によって保持されているだけであるので、最低共振周波数ｆ0近傍の低音域の振幅の大きい信号が入力されると、最低共振周波数ｆ0近傍の振動板の振幅が大きくなり、振動板が緩衝シートに激しく衝突して異音を発生しやすい。異音の発生は、振動板が例えば図１０（Ａ）又は（Ｂ）の二点差線のようなモードで振動した場合に特に顕著である。（Ａ）は振動板が一次振動モードで振動した場合であり、（Ｂ）は二次振動モードで振動した場合である。振動板の振幅は一次振動モードの場合が最も大きく、二次振動モード、三次振動モードの順に小さくなる。このようなことから、フルレンジの平面スピーカでは、低音域の再生で異音が発生しやすく、耐入力の値を大きくすることが困難であった。
【０００７】
また平面スピーカは、振動板と永久磁石の磁極面とのギャップの大きさを全面にわたって所定の大きさにそろえる必要がある。このため従来は、振動板の周辺部に取りつけた保持枠をヨーク周壁部の縁に貼り付けるときに、ギャップが所定の大きさになるように調整しているが、この方法ではギャップを正確に調整することが困難であった。
【０００８】
本発明の第一の目的は、異音の発生を防止した平面スピーカを提供することにある。
【０００９】
本発明の第二の目的は、振動板と永久磁石の磁極面とのギャップを所定の大きさにそろえることが容易な平面スピーカを提供することにある。
【００１０】
【課題を解決するための手段】
この目的を達成するため本発明は、平板部を有するヨークと、このヨークの平板部に取り付けられた多数の永久磁石と、絶縁シートの片面又は両面に前記永久磁石に対応させてボイスコイルを設けた振動板と、この振動板の周辺部を、振動板と前記永久磁石の磁極面との間に所定のギャップができるように保持する保持枠とを備えた平面スピーカにおいて、前記振動板の、相対的に他の所よりも大きい振幅で振動する箇所に、その箇所の永久磁石の磁極面レベルに達しない振幅での振動は許容するが、磁極面レベルに達する振幅での振動は抑制する振幅抑制部材を設けたことを特徴とするものである。
【００１１】
本発明の平面スピーカにおいて、振幅抑制部材は、振動板の三次振動モード以下の低次振動モードの腹の中心又はその近傍に相当する箇所の少なくとも１箇所に設けることが好ましい。
【００１２】
本発明の平面スピーカにおいて、振幅抑制部材は、静止状態にある振動板を永久磁石の磁極面との間に所定のギャップを保って支持するように構成されていることが好ましい。
【００１３】
本発明の平面スピーカにおいて、振幅抑制部材は、同心円状の波形を有していて周辺部をヨークに固定されたダンパーと、このダンパーの中央部に一端側を固定され、他端側を振動板に固定された支持部材とで構成することができる。
【００１４】
この場合、上記支持部材は、振動板の支持面積を大きくして軽量化するため、ラッパ状部材又は円筒状部材で構成するとよい。
【００１５】
本発明の平面スピーカにおいて、振幅抑制部材は、ヨークに固定された固体ブロックと、この固体ブロック上に振動板を支持するように取りつけられた弾性体とで構成することができる。
【００１６】
またこの場合、固体ブロックは、ヨークに取りつけられた多数の永久磁石と同じものを使用するとよい。
【００１７】
本発明の平面スピーカにおいて、振幅抑制部材は電磁制動機構で構成することができる。
【００１８】
この場合、電磁制動機構は、振動板に支持部材を介して中心軸線が振動方向に向くように取りつけられた可動コイルと、この可動コイルに放射方向の磁束を付与するようにヨークに取りつけられた磁石とを備えているもので構成することができる。
【００１９】
またこの場合、上記支持部材がダンパーを介してヨークに支持されている構成とすることが好ましい。
【００２０】
本発明の平面スピーカにおいて、振幅抑制部材は、ヨークに取りつけられた第一の磁石と、この磁石と同じ極性が対向するように振動板に取りつけられた第二の磁石とで構成することができる。
【００２１】
【発明の実施の形態】
以下、本発明の実施の形態を、図面を参照して詳細に説明する。
【００２２】
〔実施形態１〕  図１は本発明の一実施形態を示す。図１において、１０は平板部１０ａの周りに周壁部１０ｂを一体に形成したヨーク、１２は永久磁石、１４は絶縁シート１６の片面（又は両面）にボイスコイル１８を設けた振動板、２０は保持枠、２２は空気穴である。
【００２３】
この平面スピーカの特徴は、ヨークの平板部１０ａの中央部に開口部２６を形成し、この開口部２６の周縁に、振動板１４の中央部を支持する振幅抑制部材２８を取りつけたことである。
【００２４】
この振幅抑制部材２８は、同心円状の波形を形成した円板状のダンパー３０の中央部に、ラッパ状支持部材３２を接着等により固定したものである。ダンパー３０は布にフェノール樹脂等の熱硬化性樹脂を含浸させたシートを加熱成型することにより製造するとよい。支持部材３２は出来るだけ軽いことが望ましく、硬質の紙又は樹脂発泡体等で形成するとよい。ダンパー３０の周辺部は、ヨーク１０の開口部２６の縁に接着等により固定され、支持部材３２の先端縁は振動板１４に接着等により固定される。
【００２５】
振幅抑制部材２８を設ける領域には原則として永久磁石及びボイスコイルを設けない。ただし、振動板１４の支持部材３２によって支持される領域には、ボイスコイル又はそれと同等の剛性を有する剛性付与部材を設けてもよい。これは、振動板１４の、支持部材３２によって支持される領域の剛性を、それ以外の領域の剛性とほぼ同じにするためである。
【００２６】
この実施形態では、振幅抑制部材２８が振動板１４の中央部を支持するように、つまり振動板１４が図１０（Ａ）のように一次振動モードで振動したときの振動の腹の中心となる部分を支持するように設けられている。この振幅抑制部材２８は、振動板１４の中央部が永久磁石１２の磁極面レベルに達しない振幅で振動するときは、ダンパー３０が弾性変形して振動に追従し、振動を妨げない。一方、振動板１４の中央部が永久磁石１２の磁極面レベルに達するような大振幅で振動しようとすると、ダンパー３０の弾性変形量が限界に達し、振動板１４の振幅を一定限度以下に抑える。したがって上記構成によれば、振動板１４が永久磁石１２の磁極面に衝突するのを防止でき、異音の発生を防止できる。
【００２７】
また振幅抑制部材２８は、振動板１４を点ではなく面で（ラッパ状支持部材３２の環状先端部で）支持しているため、振動板１４が傾くのを抑制する作用もある。このため振動板１４が例えば図１０（Ｂ）のような二次振動モードで振動しようとすると、その振動を抑えるように働き、結果的に二次振動モードの振幅を小さく抑えることもできる。したがって上記のように構成された振幅抑制部材２８は、振動板に二次振動モードが発生したときも、振動板１４が永久磁石１２の磁極面に衝突するのを防止でき、異音の発生を防止できる。
【００２８】
またこの平面スピーカは、振動板１４の中央部を振幅抑制部材２８によって支持する構造であるため、振動板１４と永久磁石１２の磁極面とのギャップの大きさを、周辺部の保持枠２０と中央部の振幅抑制部材２８の両方で設定することができる。このため組立の際にギャップの大きさを全面にわたって所定の大きさにそろえることが容易であり、精度の高い平面スピーカを得ることができる。
【００２９】
なお図１の実施形態では、振幅抑制部材２８を、振動板１４が一次振動モードで振動したときの振動の腹の中心となる部分を支持するように設けたが、振幅抑制部材２８は、振動板１４が一次振動モードで振動したときの振動の腹の中心から若干ずれた部分を支持するように設けてもよい。この方が振動板の一次振動モードでの共振現象を抑制できる利点がある。
【００３０】
図２（Ａ）〜（Ｃ）は振幅抑制部材２８を設ける位置の他の例を示す。破線は振動板１４の振動モードの腹の峰を示している。（Ａ）は振動板１４が楕円形の場合で、一次振動モードの腹の中心と、二次振動モードの腹の中心の両方に振幅抑制部材２８を設けたものである。なお一次振動モードの腹の中心には設けず、二次振動モードの２箇所ある腹の中心より若干中央寄りの２箇所のみに、振動抑制部材２８を設けても所定の効果が得られる。振動板１４が楕円形の場合は、二次振動モードの腹の峰が（Ｂ）の破線のように楕円形に現れる場合もある。このため（Ｂ）は楕円形の長軸、短軸と腹の峰との交差点付近の４箇所に振幅抑制部材２８を設けたものである。（Ｃ）は振動板１４が長方形の場合で、一次振動モードの腹の中心から若干ずれた位置と、二次振動モードの腹の中心から若干ずれた位置に、振幅抑制部材２８を設けたものである。このように振幅抑制部材を設ける位置は、平面スピーカの大きさや形などに応じて適宜選定することができる。この点は以下の実施形態でも同様である。
【００３１】
〔実施形態２〕  図３は本発明の他の実施形態を示す。この平面スピーカは、ヨーク平板部１０ａの中央部に接着等により固定された固体ブロック３４と、この固体ブロック３４上に振動板１４を支持するように取りつけられた弾性体３６とで振幅抑制部材２８を構成した場合である。弾性体３６は接着等により固体ブロック３４に接合されている。弾性体３６は振動板１４に接合されていることが好ましいが、単に接触しているだけでもよい。固体ブロック３４としては、永久磁石１２と同じものを用いてもよいし、金属又はプラスチック製のブロックを用いてもよい。弾性体３６としては、シリコーンゲル、ゴム、発泡体、粘ちょう性樹脂含浸不織布などを用いることができる。
【００３２】
図３のような構成にすると、振動板１４の中央部が永久磁石１２の磁極面のレベルに達しない小さい振幅で振動するときは、弾性体３６の反発力が小さく、振動が妨げられない。一方、振動板１４の中央部が永久磁石１２の磁極面レベルに達するような大振幅で振動しようとすると、弾性体３６の反発力が大きくなり、振動板１４の振幅が一定限度以下に抑えられる。したがって振動板１４が永久磁石１２の磁極面に衝突するのを防止でき、異音の発生を防止できる。硬度０のシリコーンゴム等は振動板１４の大振幅振動をダンピングさせる効果が大きい。
【００３３】
またこの実施形態の場合も、振動板１４と永久磁石１２の磁極面とのギャップの大きさを、周辺の保持枠２０と中央部の振幅抑制部材２８の両方で設定することができる。このため組立の際にギャップの大きさを全面にわたって所定の大きさにそろえることが容易であり、精度の高い平面スピーカを得ることができる。
【００３４】
なお弾性体３６は、静止状態にある振動板１４と接触しないように設けることもできる。しかしそのような構成では、振幅抑制部材が振動板と永久磁石の磁極面とのギャップを所定の大きさに設定する作用はなくなる。
【００３５】
上記以外の構成は実施形態１と同様であるので、同一部分には同一符号を付して説明を省略する。
【００３６】
〔実施形態３〕  図４ないし図６は本発明のさらに他の実施形態を示す。図４ないし図６において、図１と同一部分には同一符号を付してあるので、重複する説明は省略する。この平面スピーカは、振動板１４の一次振動モードの腹の中心及び二次振動モードの腹の中心付近に相当する箇所に、振幅抑制部材として電磁制動機構３８Ａ、３８Ｂを設けたものである。
【００３７】
中央部の電磁制動機構３８Ａは、図５に示すように、振動板１４に支持部材４０を介して中心軸線が振動方向を向くように取りつけられた可動コイル４２と、ヨーク１０に磁気回路部材４４を介して取りつけられた磁石４６と有している。
【００３８】
可動コイル４２の支持部材４０は、振動板１４に固定される側がラッパ状に形成され、自由端側が円筒状に形成されている。可動コイル４２は支持部材４０の円筒部の外周に１巻き又は複数巻き巻回されており、制動を効果的に行うために両端子間は短絡状態にしてある。１巻きで構成する場合は支持部材４０をアルミ等の軽量導電性部材とすることで共用させることができる。さらに、可動コイルの一部をオープン回路として音声信号が流れるように構成すると、短絡状態の可動コイルで電磁制動を効かせながら、電気音響変換効率の向上を図ることができる。支持部材４０は軸線方向中間部をダンパー４８によって保持されている。ダンパー４８は同心円状の波形を有する弾性部材で、実施形態１で用いたダンパー３０と同様のものである。ダンパー４８の周辺部はヨーク平板部１０ａに固定されている。
【００３９】
ヨーク平板部１０ａの中央部には外向きに円筒部１０ｃが形成され、磁気回路部材４４はこの円筒部１０ｃの外周に嵌合した状態で、ヨーク平板部１０ａに固定されている。磁気回路部材４４はヨーク１０と同じ強磁性材料で形成されている。磁気回路部材４４の中央部にはキャップ状凸部４４ａが形成され、磁石４６はこのキャップ状凸部４４ａの頂部に固定された状態で支持部材４０の円筒部内に位置している。磁石４６と、ヨーク円筒部１０ｃと、磁気回路部材４４は磁気回路を構成しており、可動コイル４２はこの磁気回路の、磁石４６とヨーク円筒部１０ｃの間の空隙内に配置されている。これによって可動コイル４２には放射方向の磁束が付与され、可動コイル４２が振動板１４と共に振動すると、制動がかかることになる。この電磁制動機構３８Ａは、振動板１４の大振幅の振動に対して、電磁力による制動と、ダンパー４８による制動がかかることになり、より確実な振幅抑制作用を得ることができる。なお図５（Ｂ）では磁石４６が四角形の例を示したが、磁石４６の形状は円形、円筒形など他の形状でもよい。
【００４０】
次に、両側に設けられた電磁制動機構３８Ｂは、図６に示すような構造である。すなわち、振動板１４に支持部材４０を介して取りつけられた可動コイル４２は、ヨーク平板部１０ａに形成された開口部内に位置している。支持部材４０は、振動板１４側が径の大きい段付き円筒状であり、その段部をダンパー４８により保持されている。ヨーク平板部１０ａの開口部の外面側の縁には、４個の磁石４６が９０°間隔で取りつけられている。また磁石４６のヨーク平板部１０ａと反対側の面には磁気回路部材４４が取りつけられている。磁気回路部材４４の中央部には、頂部に空気穴のあいたキャップ状凸部４４ａが形成されている。可動コイル４２は、このキャップ状凸部４４ａとヨーク平板部１０ａの開口部内面との間の環状空隙内に配置されている。このような構造でも、中央の電磁制動機構３８Ａと同様の振幅抑制作用を得ることができる。なお図６（Ｂ）では４個の四角形の磁石４６を使用した場合を示したが、磁石４６の形状はこれに限られるものではなく、例えばドーナツ状の磁石１個でもよい。
【００４１】
図７は電磁制動機構の他の実施形態を示す。この電磁制動機構３８も、振動板１４に円筒状の支持部材４０を介して可動コイル４２を取りつけ、支持部材４０の軸線方向中間部をダンパー４８により保持している点では図５及び図６の電磁制動機構３８Ａ、３８Ｂと同様である。この電磁制動機構３８が前述の電磁制動機構３８Ａ、３８Ｂと異なる点は、ヨーク平板部１０ａに環状凹部１０ｄを形成し、この環状凹部１０ｄの底面に磁石４６の一方の磁極面を接合したこと、環状凹部１０ｄの内周側円筒部１０ｅを支持部材４０の内側に位置させたこと、そして磁石４６の他方の磁極面に強磁性材料からなる環状プレート５０を接合し、この環状プレート５０の内周面と前記内周側円筒部１０ｅの外周面とを、可動コイル４２を挟んで対向させたことである。このような構造でも前記電磁制動機構３８Ａ、３８Ｂと同様な振幅抑制作用を得ることができる。なお内周側円筒部１０ｅの上端は空気穴として開口している。支持部材４０にアルミ等の軽量かつ高剛性の導体を使用すれば、支持部材４０に可動コイルとしての機能を持たせることができ、部品点数を少なくすることも可能である。
【００４２】
〔実施形態４〕  図８は本発明のさらに他の実施形態を示す。この平面スピーカは、ヨーク平板部１０ａの中央部に第一の永久磁石５２を設置し、振動板１４の中央部に前記永久磁石５２と同じ極性の磁極面が対向するように第二の永久磁石５４を取りつけ、永久磁石５２と５４の反発力で振動板１４が永久磁石１２の磁極面に衝突するのを防止したものである。上記以外の構成は図１の平面スピーカと同じであるので、同一部分には同一符号を付して説明を省略する。なお第一の永久磁石５２としては、他の永久磁石１２と同じものを使用することが好ましいが、異なるものを使用することもできる。
【００４３】
以上のように、本発明の実施形態の説明の中で、振幅抑制部材２８として、(1)ダンパー３０にラッパ状支持部材３２を取りつけた事例や、(2)電磁制動機構３８を設けた事例、(3)磁石の同じ極性を対向させて反発力を利用する事例、(4)弾性体を利用する事例等を示したが、これらは、１種類のものを１箇所に設けてもよいし、１種類のものを複数箇所に設けてもよい。また複数種類のものを複数箇所に設けることも可能である。
【００４４】
【発明の効果】
以上説明したように本発明によれば、振動板のうち相対的に他の所より振幅が大きい箇所に、振幅抑制部材を設けて、振動板の大振幅での振動を抑制するようにしたので、振動板が永久磁石の磁極面に衝突するのを防止することができ、異音の発生の少ない、音質のよい平面スピーカを得ることができる。また振幅抑制部材で振動板を支持することにより、振動板の周辺部のみを保持枠で保持する場合よりも、振動板と永久磁石の磁極面とのギャップの大きさを所定の大きさにそろえることが容易である。
【図面の簡単な説明】
【図１】  本発明に係る平面スピーカの一実施形態を示す断面図。
【図２】  （Ａ）〜（Ｄ）はそれぞれ、本発明に係る平面スピーカにおいて振幅抑制部材を設置する箇所を例示する説明図。
【図３】  本発明に係る平面スピーカの他の実施形態を示す断面図。
【図４】  本発明に係る平面スピーカのさらに他の実施形態を示す、（Ａ）は振動板を取り除いた状態の平面図、（Ｂ）は（Ａ）のＢ−Ｂ線断面図、（Ｃ）は底面図、（Ｄ）は（Ａ）のＤ−Ｄ線断面図。
【図５】  図４の平面スピーカにおける中央部の電磁制動機構を示す、（Ａ）は断面図、（Ｂ）は底面図。
【図６】  図４の平面スピーカにおける両側の電磁制動機構を示す、（Ａ）は断面図、（Ｂ）は底面図。
【図７】  本発明の平面スピーカに用いる電磁制動機構の他の例を示す断面図。
【図８】  本発明に係る平面スピーカのさらに他の実施形態を示す断面図。
【図９】  従来の平面スピーカを示す断面図。
【図１０】  （Ａ）は平面スピーカの振動板が一次振動モードで振動する様子を、（Ｂ）は同じく二次振動モードで振動する様子を示す説明図。
【符号の説明】
１０：ヨーク
１０ａ：平板部
１０ｂ：周壁部
１０ｃ：円筒部
１０ｄ：環状凹部
１０ｅ：円筒部
１２：永久磁石
１４：振動板
１６：絶縁シート
１８：ボイスコイル
２０：保持枠
２６：開口部
２８：振幅抑制部材
３０：ダンパー
３２：ラッパ状支持部材
３４：固体ブロック
３６：弾性体
３８、３８Ａ、３８Ｂ：電磁制動機構（振幅抑制部材）
４０：支持部材
４２：可動コイル
４４：磁気回路部材
４６：磁石
４８：ダンパー
５２：第一の磁石
５４：第二の磁石
【図１】
0003725528.tif 000002
【図２】
0003725528.tif 000003
【図３】
0003725528.tif 000004
【図４】
0003725528.tif 000005
【図５】
0003725528.tif 000006
【図６】
0003725528.tif 000007
【図７】
0003725528.tif 000008
【図８】
0003725528.tif 000009
【図９】
0003725528.tif 000010
【図１０】
0003725528.tif 000011